(57)【要約】【課題】  ネジの螺入によって取付部材が支持部材から所定距離だけ離隔して当該支持部材と結合することを可能にする支持部材と取付部材の結合装置。【解決手段】  支持部材と取付部材とを結合する装置であって、前記支持部材（２７）の切欠部（打抜部）に嵌合可能に構成されると共に、縁部側に突出する少なくとも１つの支持部分を有する差込み部材と、前記少なくとも１つの支持部分の各々にそれぞれ対向する少なくとも１つの対向部材と、少なくとも部分的にネジ構造を有するよう構成されたネジ領域とを含んで構成される結合装置において、前記ネジ領域（１４）と前記少なくとも１つの対向部材（２２、２３）とを有する内部部材（１２）を有すること、前記内部部材（１２）は、前記差込み部材（１）に軸方向に摺動可能に支持されること、及び前記差込み部材（１）は、前記ネジ領域（１４）に螺合されるネジ（３１）と係合しかつ該ネジ（３１）のためのストッパを構成する対向支承領域（３）を有することを特徴とする。【選択図】  図３
2007514903.tif 000002
【特許請求の範囲】
【請求項１】
支持部材（２７）に取付部材（２６）を結合する装置であって、
前記支持部材（２７）の切欠部（打抜部）に嵌合可能に構成されると共に、縁部側に突出する少なくとも１つの載置部分を有する差込み部材と、
前記少なくとも１つの載置部分の各々にそれぞれ対向する少なくとも１つの対向部材と、
少なくとも部分的にネジ構造を有するよう構成されたネジ領域とを含んで構成される結合装置において、
前記ネジ領域（１４）と前記少なくとも１つの対向部材（２２、２３）とを備えた内部部材（１２）を有すること、
前記内部部材（１２）は、前記差込み部材（１）に軸方向に摺動可能に支持されること、及び
前記差込み部材（１）は、前記ネジ領域（１４）に螺合されるネジ（３１）と係合しかつ該ネジ（３１）のためのストッパを構成する対向支承領域（３）を有すること
を特徴とする装置。
【請求項２】
前記差込み部材（１）は、予め押し抜き加工された帯状金属板から形成され、１つの中央ブリッジ（２）を有し、及び該中央ブリッジ（２）の縁部側にそれぞれ引き続いて形成されかつ実質的に互いに平行に配向されると共に前記載置部分（６、７）に接続する２つの縁部ウェブ（４、５）を有すること
を特徴とする請求項１に記載の装置。
【請求項３】
前記差込み部材（１）の前記縁部ウェブ（４、５）は、それぞれ、互い対しに向い合うよう指向されかつ前記中央ブリッジ（２）の方向に配向されるストッパノーズ（８、９）を含んで構成されること
を特徴とする請求項２に記載の装置。
【請求項４】
前記差込み部材（１）の前記縁部ウェブ（４、５）は、長手方向に配向される縁部切欠部（１０、１１）を有すること
を特徴とする請求項２又は３に記載の装置。 
【請求項５】
前記内部部材（１２）は、予め押し抜き加工された帯状金属板から形成され、かつ中間部材としての端面プレート（１３）であって、当該端面プレート（１３）の中央部にネジ構造（１５）を有するネジ領域（１４）が形成される端面プレート（１３）を有すること
を特徴とする請求項１〜４の何れか一項に記載の装置。
【請求項６】
前記端面プレート（１３）には、前記内部部材（１２）の互いに実質的に平行に配向される２つのエッジウェブ（１６、１７）が続いて形成され、該エッジウェブ（１６、１７）には、前記対向部材（２２、２３）が形成されていること
を特徴とする請求項５に記載の装置。
【請求項７】
前記内部部材（１２）の前記エッジウェブ（１６、１７）には、それぞれ、互いに向い合うよう配向されかつ前記対向支承領域（３）まで延在する内部トング（１８、１９）が引き続いて形成されること
を特徴とする請求項６に記載の装置。
【発明の詳細な説明】
【技術分野】
【０００１】
本発明は、支持部材（ないし担持部材、基材）に取付（付加）部材を結合する装置であって、前記支持部材の切欠部（打抜部）に嵌合可能に構成されると共に、縁部側に突出する少なくとも１つの載置部分を有する差込み部材と、前記少なくとも１つの載置部分の各々にそれぞれ対向する少なくとも１つの対向部材と、少なくとも部分的にネジ構造を有するよう構成されたネジ領域とを含んで構成される結合装置に関する。
【背景技術】
【０００２】
この種の装置について記載する文献は存在する（後掲特許文献１参照）。この既知の装置の場合、縁部側でそれぞれ突出すると共に、支持部材の切欠部（打抜部）に差込み部材を嵌合する際に、嵌合方向に関し該支持部材の外面側で該切欠部（打抜部）の周囲（周縁部）に着座する２つの載置部分を有するケージ状差込み部材を有する。載置部分の各々の内側にはそれぞれ１つの縁部ウェブが形成されており、該縁部ウェブには、外方に突出し支持部分に向い合うよう配向される弾性的対向部材が形成されている。この既知の装置は、更に、２つの縁部ウェブを、支持部分から遠い側のそれぞれの端部と結合して橋絡する中央ブリッジを有する。中央ブリッジの中央領域には、支持部材に固定されるべき取付部材を貫通するネジが螺合可能なネジ構造を有するネジ領域が形成されている。この既知の装置を規定どおりに使用する場合、差込み部材は、載置部分が支持部材の外面に当接し、かつ対向部材が切欠部（打抜部）を貫通通過する際に弾性的に狭窄した（窄まった）後再び外方に（弾性的に）突出して切欠部（打抜部）の周囲の支持部材の周縁領域に後方から係合するまで、支持部材の切欠部（打抜部）を貫通して差込まれる。
【０００３】
この装置（の構造）では、差込み部材は、支持部材に係止され、ネジによって貫通通過される取付部材は、取付部材が差込み部材の支持部分に当接し、対向部材が差込み部材の脱落を防止するまで、ネジをネジ構造に螺合することによって、支持部材に結合することができる。
【０００４】
【特許文献１】ＤＥ−ＯＳ １９ ２３ ３２１
【発明の開示】
【発明が解決しようとする課題】
【０００５】
本発明の課題は、冒頭に述べた種類の装置を、ネジの螺入によって付加部材が支持部材から所定距離だけ離隔して当該支持部材と結合することができるように構成することである。
【課題を解決するための手段】
【０００６】
上記の課題は、本発明の一視点により、冒頭に述べた種類の（冒頭に記載した特徴を前置部（上位概念）として有する）装置において、前記ネジ領域と前記少なくとも１つの対向部材とを備えた内部部材を有すること、前記内部部材は、前記差込み部材に軸方向に摺動可能に支持されること、及び前記差込み部材は、前記ネジ領域に螺合されるネジと係合しかつ該ネジのためのストッパを構成する対向支承領域を有すること、によって解決される。
【発明を実施するための最良の形態】
【０００７】
本発明の装置は、差込み部材内を軸方向に摺動可能に構成されると共にネジ領域及び少なくとも１つの対向部材を備えた内部部材を有し、かつその差込み部材がネジのためのストッパを形成する対向支承領域を有することによって、ネジ構造へのネジの螺合の際に、差込み部材を受容する切欠部（打抜部）の周囲（周縁）領域の、少なくとも１つの支持部分の反対側を指向する側に、少なくとも１つの対向部材の各々が当接するまで、内部部材は、ネジの進行方向と反対方向に運動する。本発明の装置のこの構成では、取付部材は、支持部材から所定距離だけ離隔して配置され、かつ該支持部材に固定的に結合される。
【０００８】
本発明の更なる好ましい実施形態は、従属請求項の対象である。
【０００９】
添付の各図面を参照した本発明の好ましい一実施例に関する以下の説明から、更なる好ましい実施形態及び種々の利点は明らかになる。
【実施例】
【００１０】
図１は、発明の装置の好ましい一実施例の斜視図である。図１に示した実施例は、予備押し抜き（打ち抜き）加工された帯状金属板から形成されると共に中央ブリッジ２を備える差込み部材１を有する。この中央ブリッジ２の中央領域には、ネジ（図１には不図示）のための陥凹部かつ対向支承範囲として、対向支承陥凹部３が形成される。中央ブリッジ２の両方の側部には、帯状金属板をそれぞれ同一方向にほぼ直角に折曲げることによって、互いに平行に配向された第１縁部ウェブ４及び第２縁部ウェブ５が形成される。帯状金属板の２つの自由端（翼端）を、更に、それぞれ外方にほぼ直角に折曲げることによって、ほぼ１つの平面内に位置する第１支持トング（翼部）６及び第２支持トング（翼部）７が載置（当接支持）部分として形成される。
【００１１】
２つの縁部ウェブ４、５の中央ブリッジ２とは反対側の（遠くに位置する側の）端部には、それぞれ、互いに向い合うよう（下方に）折曲げられ中央ブリッジ２の方向に関し内方に指向するよう配向される第１ストッパノーズ８及び第２ストッパノーズ９が形成される。縁部ウェブ４、５の各々には、長手方向においてそれぞれストッパノーズ８、９から中央ブリッジ２の付近まで延在する第１縁部切欠部１０及び第２縁部切欠部１１が形成される。
【００１２】
更に、図１の実施例にもとづく本発明の装置は、同様に予備押し抜き（打ち抜き）加工された帯状金属板から形成される内部部材１２を有する。内部部材１２は、その中間部材として、端面プレート１３を有する。端面プレート１３の中央部には、１つの渦巻線上に延在するエッジから構成されるネジ構造１５を有するネジ領域１４が形成される。端面プレート１３の互いに対向する２つの側縁部には、内部部材１２に関しそれぞれほぼ直角に折曲げることによって、差込み部材１の対応する縁部ウェブ４、５に対しそれぞれその外面が向けられる第１エッジウェブ１６及び第２エッジウェブ１７が形成される。更に、内部部材１２は、エッジウェブ１６、１７から互いに向い合うよう内部に向かってそれぞれ延在しかつそれらの端部に第１トング切欠部２０及び第２トング切欠部２１が形成される第１内部トング１８及び第２内部トング１９を有する。
【００１３】
内部部材１２のエッジウェブ１６、１７と、トング切欠部２０、２１との間の移行領域には、対向部材として、第１対向ノーズ２２及び第２対向ノーズ２３が形成される。これら第１対向ノーズ２２及び第２対向ノーズ２３は外方に曲げ開かれているので、内部部材１２のエッジウェブ１６、１７には、それぞれ、第１エッジ切欠部２４及び第２エッジ切欠部２５が形成される。
【００１４】
差込み部材１と内部部材１２は、差込み部材１のストッパノーズ８、９が内部部材１２のエッジ切欠部２４、２５に嵌り込んで係合し、かつ内部部材１２の対向ノーズ２２、２３が差込み部材１の縁部切欠部１０、１１に嵌り込んで係合するよう、互いに対し配置構成される。かくして、内部部材１２は、差込み部材１内において、脱落することなくかつ軸方向に摺動可能に支持される。
【００１５】
図２は、取付部材２６と支持部材２７とを結合するための組込状態にある図１の実施例の側面図である。この場合、取付部材２６と支持部材２７は、本発明の装置の組込位置の反対側において、緩い（非固定的な）リンク係合（lose Gelenkverbindung）２８を介して互いに係合される。リンク係合２８は、支持部材２７に形成されたウェブ２９と取付部材２６の自由端に形成された曲折（フック）部３０によって構成される。この場合、取付部材２６と支持部材２７との間に遊びのない結合を形成するためには、曲折（フック）部３０をウェブ２９に対して恒久的に（常時）押し付けられることが必要である。
【００１６】
このため、本発明の装置の差込み部材１は、支持部材２７の切欠部（打抜部）に嵌め込まれ、その際、支持トング６、７は、支持部材２７の取付部材２６に指向する側に当接する。取付部材２６を貫通通過するネジ３１を当該ネジ３１の自由端が対向支承陥凹部３に係合するまで内部部材１２の端面プレート１３に形成されたネジ構造１５に螺合し、更に、対向ノーズ２２、２３が支持部材２７の取付部材２６の反対側に指向する側に当接するまでネジ３１を締付けることによって、取付部材２６は、本発明の装置の組込位置の範囲において、最終位置の最大距離まで支持部材２７から引離され、かくして、リンク係合２８は、引張力を受ける。
【００１７】
図３は、組込状態にある図１の実施例の、図２の状態に対して９０度回転して拡大した状態の側面図である。図３から明らかなように、内部トング１８、１９は、トング切欠部２０、２１の深さに応じてネジ３１のネジシャフト３２を部分的に包囲（係合）し、かくして、螺入操作の際に、ネジシャフト３２の自由端が導入方向においてストッパを形成する対向支承陥凹部３に係合するまで、ネジ３１を対向支承陥凹部３の方向に案内する。更に、図３から明らかなように、ネジ３１のネジシャフト３２の長さと、差込み部材１及び内部部材１２の関連寸法の長さを互いに調整することにより、支持部材２７は、支持トング６、７と対向ノーズ２２、２３との間に挟み込まれ、取付部材２６は、ネジ３１のヘッド３３と内部部材１２の端面プレート１３との間に挟み込まれることにより、互いに固定的に結合される。
【図面の簡単な説明】
【００１８】
【図１】それぞれ帯状金属板から形成された差込み部材と内部部材とを有する本発明の好ましい一実施例の斜視図。
【図２】組込（取付け）状態にある図１の実施例の側面図。
【図３】組込状態にある図１の実施例の、図２の状態に対して９０度回転して拡大した側面図。
【図１】
2007514903.tif 000003
【図２】
2007514903.tif 000004
【図３】
2007514903.tif 000005
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
支持部材（２７）に取付部材（２６）を結合する装置であって、
前記支持部材（２７）の切欠部（打抜部）に嵌合可能に構成されると共に、縁部側に突出する少なくとも１つの載置部分を有する差込み部材と、
前記少なくとも１つの載置部分の各々にそれぞれ対向する少なくとも１つの対向部材と、
少なくとも部分的にネジ構造を有するよう構成されたネジ領域とを含んで構成される結合装置において、
前記ネジ領域（１４）と前記少なくとも１つの対向部材（２２、２３）とを備えた内部部材（１２）を有すること、
前記内部部材（１２）は、前記差込み部材（１）に軸方向に摺動可能に支持されること、及び
前記差込み部材（１）は、前記ネジ領域（１４）に螺合されるネジ（３１）と係合しかつ該ネジ（３１）のためにストッパを構成する対向支承領域（３）を有すること
を特徴とする装置。
【請求項２】
前記差込み部材（１）は、予め押し抜き加工された帯状金属板から形成され、１つの中央ブリッジ（２）を有し、及び該中央ブリッジ（２）の縁部側にそれぞれ引き続いて形成されかつ実質的に互いに平行に配向されると共に前記載置部分（６、７）に接続する２つの縁部ウェブ（４、５）を有すること
を特徴とする請求項１に記載の装置。
【請求項３】
前記差込み部材（１）の前記縁部ウェブ（４、５）は、それぞれ、互い対しに向い合うよう指向されかつ前記中央ブリッジ（２）の方向に配向されるストッパノーズ（８、９）を含んで構成されること、及び
前記差込み部材（１）は、該中央ブリッジ（２）の縁部側にそれぞれ引き続いて形成されかつ実質的に互いに平行に配向されると共に前記載置部分（６、７）に接続する２つの縁部ウェブ（４、５）を有すること
を特徴とする請求項１又は２に記載の装置。
【請求項４】
前記差込み部材（１）の前記縁部ウェブ（４、５）は、それぞれ、互い対しに向い合うよう指向されかつ前記中央ブリッジ（２）の方向に配向されるストッパノーズ（８、９）を含んで構成されること
を特徴とする請求項３に記載の装置。
【請求項５】
前記差込み部材（１）の前記縁部ウェブ（４、５）は、長手方向に配向される縁部切欠部（１０、１１）を有すること
を特徴とする請求項３又は４に記載の装置。
【請求項６】
前記内部部材（１２）は、予備押し抜き加工された帯状金属板から形成されること
を特徴とする請求項１〜５の何れか一項に記載の装置。
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
支持部材（２７）に取付部材（２６）を結合する装置であって、
前記支持部材（２７）の切欠部（打抜部）に嵌合可能に構成されると共に、縁部側に突出する少なくとも１つの載置部分（６、７）を有する差込み部材と、
少なくとも部分的にネジ構造を有するよう構成されたネジ領域（１４）及び前記少なくとも１つの載置部分（６、７）の各々にそれぞれ対向する少なくとも１つの対向部材（２２、２３）を有する内部部材（１２）と、
を含んで構成されると共に、
前記内部部材（１２）は、前記差込み部材（１）に軸方向に摺動可能に支持され、
前記内部部材（１２）は、中間部材としての端面プレート（１３）であって、当該端面プレート（１３）の中央部に前記ネジ構造（１５）を有する前記ネジ領域（１４）が形成される端面プレート（１３）を有し、及び
前記端面プレート（１３）には、前記内部部材（１２）の互いに実質的に平行に配向される２つのエッジウェブ（１６、１７）が続いて形成され、該エッジウェブ（１６、１７）には、前記対向部材（２２、２３）が形成される
ように構成される結合装置において、
前記差込み部材（１）が、前記ネジ領域（１４）に螺合されるネジ（３１）と係合しかつ該ネジ（３１）のためのストッパを構成する対向支承領域（３）を有することにより、前記ネジ構造（１５）への前記ネジ（１３）の螺合の際に、前記差込み部材（１）を受容する前記切欠部（打抜部）の周囲領域の、前記少なくとも１つの載置部分（６、７）の反対側を指向する側に、前記少なくとも１つの対向部材（２２、２３）の各々が当接するまで、前記内部部材（１２）が、該ネジ（１３）の進行方向と反対方向に運動するよう構成されること
を特徴とする装置。
【請求項２】
前記内部部材（１２）の前記エッジウェブ（１６、１７）には、それぞれ、互いに向い合うよう配向されかつ前記対向支承領域（３）まで延在する内部トング（１８、１９）が引き続いて形成されること
を特徴とする請求項１に記載の装置。
【請求項３】
前記差込み部材（１）は、予め押し抜き加工された帯状金属板から形成され、１つの中央ブリッジ（２）を有し、及び該中央ブリッジ（２）の縁部側にそれぞれ引き続いて形成されかつ実質的に互いに平行に配向されると共に前記載置部分（６、７）に接続する２つの縁部ウェブ（４、５）を有すること
を特徴とする請求項１又は２に記載の装置。
【請求項４】
前記差込み部材（１）の前記縁部ウェブ（４、５）は、それぞれ、互い対しに向い合うよう指向されかつ前記中央ブリッジ（２）の方向に配向されるストッパノーズ（８、９）を含んで構成されること
を特徴とする請求項３に記載の装置。
【請求項５】
前記差込み部材（１）の前記縁部ウェブ（４、５）は、長手方向に配向される縁部切欠部（１０、１１）を有すること
を特徴とする請求項３又は４に記載の装置。
【請求項６】
前記内部部材（１２）は、予備押し抜き加工された帯状金属板から形成されること
を特徴とする請求項１〜５の何れか一項に記載の装置。
【手続補正書】
【提出日】平成19年3月26日(2007.3.26)
【手続補正１】
【補正対象書類名】特許請求の範囲
【補正対象項目名】請求項４
【補正方法】変更
【補正の内容】
【請求項４】
前記差込み部材（１）の前記縁部ウェブ（４、５）は、それぞれ、互いに対し向い合うよう指向されかつ前記中央ブリッジ（２）の方向に配向されるストッパノーズ（８、９）を含んで構成されること
を特徴とする請求項３に記載の装置。
【手続補正２】
【補正対象書類名】明細書
【補正対象項目名】全文
【補正方法】変更
【補正の内容】
【発明の詳細な説明】
【技術分野】
【０００１】
本発明は、支持部材と付加部材とを結合する装置であって、前記支持部材の切欠部（打抜部）に嵌合可能に構成されると共に、縁部側に突出する少なくとも１つの支持部分を有する差込み部材と、前記少なくとも１つの支持部分の各々にそれぞれ対向する少なくとも１つの対向部材と、少なくとも部分的にネジ構造を有するよう構成されたネジ領域とを含んで構成される結合装置に関する。
【背景技術】
【０００２】
この種の装置について記載する文献は存在する（後掲特許文献１参照）。この既知の装置の場合、縁部側でそれぞれ突出すると共に、支持部材の切欠部（打抜部）に差込み部材を嵌合する際に、嵌合方向に関し該支持部材の外面側で該切欠部（打抜部）の周囲（周縁部）に着座する２つの支持部分を有するケージ状差込み部材を有する。支持部分の各々の内側にはそれぞれ１つの縁部ウェブが形成されており、該縁部ウェブには、外方に突出し支持部分に向い合うよう配向される弾性的対向部材が形成されている。この既知の装置は、更に、２つの縁部ウェブを、支持部分から遠い側のそれぞれの端部と結合して橋絡する中央ブリッジを有する。中央ブリッジの中央領域には、支持部材に固定されるべき付加部材を貫通するネジが螺合可能なネジ構造を有するネジ領域が形成されている。この既知の装置を規定どおりに使用する場合、差込み部材は、支持部分が支持部材の外面に当接し、かつ対向部材が切欠部（打抜部）を貫通通過する際に弾性的に狭窄した（窄まった）後再び外方に（弾性的に）突出して切欠部（打抜部）の周囲の支持部材の周縁領域に後方から係合するまで、支持部材の切欠部（打抜部）を貫通して差込まれる。
【０００３】
この装置（の構造）では、差込み部材は、支持部材に係止され、ネジによって貫通通過される付加部材は、付加部材が差込み部材の支持部分に当接し、対向部材が差込み部材の脱落を防止するまで、ネジをネジ構造に螺合することによって、支持部材に結合することができる。
【０００４】
【特許文献１】ＤＥ−ＯＳ １９ ２３ ３２１
【発明の開示】
【発明が解決しようとする課題】
【０００５】
本発明の課題は、冒頭に述べた種類の装置を、ネジの螺入によって付加部材が支持部材から所定距離だけ離隔して当該支持部材と結合することができるように構成することである。
【課題を解決するための手段】
【０００６】
上記の課題を解決するために、本発明の一視点により、支持部材と付加部材とを結合する装置であって、
前記支持部材の切欠部（打抜部）に嵌合可能に構成されると共に、縁部側に突出する少なくとも１つの支持部分を有する差込み部材と、少なくとも部分的にネジ構造を有するよう構成されたネジ領域及び前記少なくとも１つの支持部分の各々にそれぞれ対向する少なくとも１つの対向部材を有する内部部材と、を含んで構成されると共に、
前記内部部材は、前記差込み部材に軸方向に摺動可能に支持され、
前記内部部材は、中間部材としての端面プレートであって、当該端面プレートの中央部に前記ネジ構造を有する前記ネジ領域が形成される端面プレートを有し、及び
前記端面プレートには、前記内部部材の互いに実質的に平行に配向される２つのエッジウェブが続いて形成され、該エッジウェブには、前記対向部材が形成されるように構成される結合装置が提供される。この結合装置において、前記差込み部材が、前記ネジ領域に螺合されるネジと係合しかつ該ネジのためのストッパを構成する対向支承領域を有することにより、前記ネジ構造への前記ネジの螺合の際に、前記差込み部材を受容する前記切欠部（打抜部）の周囲領域の、前記少なくとも１つの支持部分の反対側を指向する側に、前記少なくとも１つの対向部材の各々が当接するまで、前記内部部材が、該ネジの進行方向と反対方向に運動するよう構成されることを特徴とする（形態１・基本構成）。
【発明の効果】
【０００７】
本発明の独立請求項１により、上記課題に対応する効果が達成される。即ち、本発明の支持部材と付加部材とを結合する装置は、ネジの螺入によって、付加部材を、支持部材から所定距離だけ離隔して当該支持部材と結合することができる。
更に、各従属請求項により付加的な効果が夫々達成される。
【発明を実施するための最良の形態】
【０００８】
本発明の装置は、差込み部材内を軸方向に摺動可能に構成されると共にネジ領域及び少なくとも１つの対向部材を有する内部部材を有し、かつその差込み部材がネジのためのストッパを形成する対向支承領域を有することによって、ネジ構造へのネジの螺合の際に、差込み部材を受容する切欠部（打抜部）の周囲（周縁）領域の、少なくとも１つの支持部分の反対側を指向する側に、少なくとも１つの対向部材の各々が当接するまで、内部部材は、ネジの進行方向と反対方向に運動する。本発明の装置のこの構成では、付加部材は、支持部材から所定距離だけ離隔して配置され、かつ該支持部材に固定的に結合される。
【０００９】
以下に、本発明の好ましい実施の形態を示すが、形態２〜６は、従属請求項の対象でもある。
（形態１）  上記基本構成参照。
（形態２）  上記形態１の装置において、前記内部部材の前記エッジウェブには、それぞれ、互いに向い合うよう配向されかつ前記対向支承領域まで延在する内部タングが引き続いて形成されることが好ましい。
（形態３）  上記形態１又は２の装置において、前記差込み部材は、予備押し抜き加工された帯状金属板から形成され、１つの中央ブリッジを有し、及び該中央ブリッジの縁部側にそれぞれ引き続いて形成されかつ実質的に互いに平行に配向されると共に前記支持部分に接続する２つの縁部ウェブを有することが好ましい。
（形態４）  上記形態３の装置において、前記差込み部材の前記縁部ウェブは、それぞれ、互いに対し向い合うよう指向されかつ前記中央ブリッジの方向に配向されるストッパノーズを含んで構成されることが好ましい。
（形態５）  上記形態３又は４の装置において、前記差込み部材の前記縁部ウェブは、長手方向に配向される縁部切欠部を有することが好ましい。
（形態６）  上記形態１〜５の装置において、前記内部部材は、予備押し抜き加工された帯状金属板から形成されることが好ましい。
【００１０】
添付の各図面を参照した本発明の好ましい一実施例に関する以下の説明から、更なる好ましい実施形態及び種々の利点は明らかになる。なお、特許請求の範囲に付した図面参照符号は、専ら発明の理解を助けるためのものに過ぎず、本発明を図示の態様に限定することを意図したものではない。
【実施例】
【００１１】
図１は、発明の装置の好ましい一実施例の斜視図である。図１に示した実施例は、予備押し抜き（打ち抜き）加工された帯状金属板から形成されると共に中央ブリッジ２を備える差込み部材１を有する。この中央ブリッジ２の中央領域には、ネジ（図１には不図示）のための陥凹部かつ対向支承範囲として、対向支承陥凹部３が形成される。中央ブリッジ２の両方の側部には、帯状金属板をそれぞれ同一方向にほぼ直角に折曲げることによって、互いに平行に配向された第１縁部ウェブ４及び第２縁部ウェブ５が形成される。帯状金属板の２つの自由端を、更に、それぞれ外方にほぼ直角に折曲げることによって、ほぼ１つの平面内に位置する第１支持タング６及び第２支持タング７が支持部分として形成される。
【００１２】
２つの縁部ウェブ４、５の中央ブリッジ２とは反対側の（遠くに位置する側の）端部には、それぞれ、互いに向い合うよう（下方に）折曲げられ中央ブリッジ２の方向に関し内方に指向するよう配向される第１ストッパノーズ８及び第２ストッパノーズ９が形成される。縁部ウェブ４、５の各々には、長手方向においてそれぞれストッパノーズ８、９から中央ブリッジ２の付近まで延在する第１縁部切欠部１０及び第２縁部切欠部１１が形成される。
【００１３】
更に、図１の実施例にもとづく本発明の装置は、同様に予備押し抜き（打ち抜き）加工された帯状金属板から形成される内部部材１２を有する。内部部材１２は、その中間部材として、端面プレート１３を有する。端面プレート１３の中央部には、１つの渦巻線上に延在するエッジから構成されるネジ構造１５を有するネジ領域１４が形成される。端面プレート１３の互いに対向する２つの側縁部には、内部部材１２に関しそれぞれほぼ直角に折曲げることによって、差込み部材１の対応する縁部ウェブ４、５に対しそれぞれその外面が向けられる第１エッジウェブ１６及び第２エッジウェブ１７が形成される。更に、内部部材１２は、エッジウェブ１６、１７から互いに向い合うよう内部に向かってそれぞれ延在しかつそれらの端部に第１タング切欠部２０及び第２タング切欠部２１が形成される第１内部タング１８及び第２内部タング１９を有する。
【００１４】
内部部材１２のエッジウェブ１６、１７と、タング切欠部２０、２１との間の移行領域には、対向部材として、第１対向ノーズ２２及び第２対向ノーズ２３が形成される。これら第１対向ノーズ２２及び第２対向ノーズ２３は外方に曲げ開かれているので、内部部材１２のエッジウェブ１６、１７には、それぞれ、第１エッジ切欠部２４及び第２エッジ切欠部２５が形成される。
【００１５】
差込み部材１と内部部材１２は、差込み部材１のストッパノーズ８、９が内部部材１２のエッジ切欠部２４、２５に嵌り込んで係合し、かつ内部部材１２の対向ノーズ２２、２３が差込み部材１の縁部切欠部１０、１１に嵌り込んで係合するよう、互いに対し配置構成される。かくして、内部部材１２は、差込み部材１内において、脱落することなくかつ軸方向に摺動可能に支持される。
【００１６】
図２は、付加部材２６と支持部材２７とを結合するための組込状態にある図１の実施例の側面図である。この場合、付加部材２６と支持部材２７は、本発明の装置の組込位置の反対側において、緩い（非固定的な）リンク結合（lose Gelenkverbindung）２８を介して互いに結合される。リンク結合２８は、支持部材２７に形成されたウェブ２９と付加部材２６の自由端に形成された曲折（フック）部３０によって構成される。この場合、付加部材２６と支持部材２７との間に遊びのない結合を形成するためには、曲折（フック）部３０をウェブ２９に対して恒久的に（常時）押し付けられることが必要である。
【００１７】
このため、本発明の装置の差込み部材１は、支持部材２７の切欠部（打抜部）に嵌め込まれ、その際、支持タング６、７は、支持部材２７の付加部材２６に指向する側に当接する。付加部材２６を貫通通過するネジ３１を当該ネジ３１の自由端が対向支承陥凹部３に係合するまで内部部材１２の端面プレート１３に形成されたネジ構造１５に螺合し、更に、対向ノーズ２２、２３が支持部材２７の付加部材２６の反対側に指向する側に当接するまでネジ３１を締付けることによって、付加部材２６は、本発明の装置の組込位置の範囲において、最終位置の最大距離まで支持部材２７から引離され、かくして、リンク結合２８は、引張力を受ける。
【００１８】
図３は、組込状態にある図１の実施例の、図２の状態に対して９０度回転して拡大した状態の側面図である。図３から明らかなように、内部タング１８、１９は、タング切欠部２０、２１の深さに応じてネジ３１のネジシャフト３２を部分的に包囲（係合）し、かくして、螺入操作の際に、ネジシャフト３２の自由端が導入方向においてストッパを形成する対向支承陥凹部３に係合するまで、ネジ３１を対向支承陥凹部３の方向に案内する。更に、図３から明らかなように、ネジ３１のネジシャフト３２の長さと、差込み部材１及び内部部材１２の関連寸法の長さを互いに調整することにより、支持部材２７は、支持タング６、７と対向ノーズ２２、２３との間に挟み込まれ、付加部材２７［２６］は、ネジ３１のヘッド３３と内部部材１２の端面プレート１３との間に挟み込まれることにより、互いに固定的に結合される。
【図面の簡単な説明】
【００１９】
【図１】それぞれ帯状金属板から形成された差込み部材と内部部材とを有する本発明の好ましい一実施例の斜視図。
【図２】組込（取付け）状態にある図１の実施例の側面図。
【図３】組込状態にある図１の実施例の、図２の状態に対して９０度回転して拡大した側面図。
【国際調査報告】
2007514903.tif 000006
2007514903.tif 000007
2007514903.tif 000008
2007514903.tif 000009
2007514903.tif 000010
2007514903.tif 000011